(57)【特許請求の範囲】
【請求項１】
ヒータによって加熱されるベースと、前記ベースの上方に配設された把手と、前記ヒータに給電するための電源コードと、前記電源コードを収納するコードリール装置とを備え、前記コードリール装置は、前記電源コードを巻取るリールと前記電源コードを引き出すための引出し口とを具備すると共に、前記リールの回動中心部の軸方向を略前後方向として前記把手の後部に取着され、前記引出し口は、前記電源コードが前記リールの回転方向に沿って引き出される向きに形成されると共に、前記引出し口の後ろ側が前側より徐々に狭くなるように前記引出し口の前後方向の外周側の縁を傾斜して形成されたアイロン装置。
【発明の詳細な説明】
【技術分野】
【０００１】
本発明は、衣類等のしわ伸ばしに用いられるアイロン装置に関するものである。
【背景技術】
【０００２】
従来のこの種のアイロン装置のコードリール装置のコード引出し口は、コードリール装置を下にしてアイロン装置を立てた状態、いわゆるアイロン装置をヒール状態にしたときに、載置面側の引出し口の幅とアイロン本体側の引出し口の幅は、同じであり、載置面に対し垂直方向であった（例えば、特許文献１参照）。
【０００３】
図４は、前記特許文献１に記載された従来のアイロン装置の部分断面図を示すもので、以下その構成について説明する。
【０００４】
従来のアイロン装置は、ベース２１と、ベース２１の上方に配設された把手２２と、把手２２の後部にコード２３を巻取るリール２４を有し、そのリール２４は、リールケース２５ａとリールケース２５ｂに回動自在に取り付けられている。コード２３の引出し口２６は、リールケース２５ａとリールケース２５ｂで構成されている。引き出されたコード２３は、巻取り釦２７を押してロックを解除することにより、引出し口２６を介してリール２４に巻取られる。
【特許文献１】特開昭５９−１０８６００号公報
【発明の開示】
【発明が解決しようとする課題】
【０００５】
しかしながら、このような従来のアイロン装置の構成では、アイロン装置をヒール状態にして、コードを巻取ると、コードが同じ場所に重なり合い、全てのコードが巻取れないといった課題があった。
【０００６】
本発明は、上記従来の課題を解決するもので、アイロン装置をヒール状態にして、電源コードを巻取っても、電源コードが同じ場所に重なり合うことがなく、電源コードの巻取りを確実にしたアイロン装置を提供することを目的としている。
【課題を解決するための手段】
【０００７】
前記従来の課題を解決するために、本発明のアイロン装置は、ヒータによって加熱されるベースと、前記ベースの上方に配設された把手と、前記ヒータに給電するための電源コードと、前記電源コードを収納するコードリール装置とを備え、前記コードリール装置は、前記電源コードを巻取るリールと前記電源コードを引き出すための引出し口とを具備すると共に、前記リールの回動中心部の軸方向を略前後方向として前記把手の後部に取着され、前記引出し口は、前記電源コードが前記リールの回転方向に沿って引き出される向き
に形成されると共に、前記引出し口の後ろ側が前側より徐々に狭くなるように前記引出し口の前後方向の外周側の縁を傾斜して形成されたもので、コードリール装置を下にしてアイロン装置を立てた状態、いわゆるヒール状態で、電源コードを巻取っても、引出し口の後ろ側が狭いため電源コードが同じ場所に重なり合うことがなく、電源コードを確実に巻取ることができるアイロン装置を提供することができる。
【発明の効果】
【０００８】
本発明のアイロン装置は、コードリール装置を下にしてアイロン装置を立てた状態、いわゆるヒール状態で電源コードを巻取るとき、電源コードが同じ場所に重なり合うことがなく、確実に電源コードを巻取ることができる。
【発明を実施するための最良の形態】
【０００９】
第１の発明は、ヒータによって加熱されるベースと、前記ベースの上方に配設された把手と、前記ヒータに給電するための電源コードと、前記電源コードを収納するコードリール装置とを備え、前記コードリール装置は、前記電源コードを巻取るリールと前記電源コードを引き出すための引出し口とを具備すると共に、前記リールの回動中心部の軸方向を略前後方向として前記把手の後部に取着され、前記引出し口は、前記電源コードが前記リールの回転方向に沿って引き出される向きに形成されると共に、前記引出し口の後ろ側が前側より徐々に狭くなるように前記引出し口の前後方向の外周側の縁を傾斜して形成されたアイロン装置で、コードリール装置を下にしてアイロン装置を立てた状態、いわゆるヒール状態で、電源コードを巻取っても、引出し口の後ろ側が狭いため電源コードが同じ場所に重なり合うことがなく、電源コードを確実に巻取ることができるアイロン装置を提供することができる。
【００１０】
特に、引出し口の後ろ側が前側より徐々に狭くなるように前記引出し口の前後方向の縁を傾斜させたもので、巻取られる電源コードが、傾斜面に沿って移動することにより、同じ場所に重なり合うことなく、電源コードの巻取りをより確実に行うことができるアイロン装置を提供することができる。
【００１１】
以下、本発明の実施の形態について、図面を参照しながら説明する。また、この実施の形態によって本発明が限定されるものではない。
【００１２】
（実施の形態１）
図１は、本発明の第１の実施の形態におけるアイロン装置の要部断面図、図２は、同アイロン装置のコードリール装置の把手側リールケースを外した図で、図３は、図１のＤ−Ｄ断面図である。以降の説明において、「前部」「前側」との記載は、図１におけるアイロン装置の正立状態の左側を示し、「後部」「後ろ側」との記載は、同正立状態の右側を示す。
【００１３】
図１、２及び３において、本実施の形態におけるアイロン装置は、ヒータ１によって加熱されるベース２と、前記ベース２の上方に配設した把手３と、前記ヒータ１に給電するための電源コード４と、前記把手３の後部に取着され、かつ、前記電源コード４を出没自在に収納するコードリール装置５とを具備し、前記コードリール装置５は、前記電源コード４を巻取るリール６、６ａと、前記リール６、６ａを回動自在に収容するリールケース７、７ｂを有している。
【００１４】
前記リール６、６ａは、アイロンかけに必要な長さ、すなわち２ｍ前後の電源コード４を巻取るために、電源コード４の巻取りをスムースに行ない、かつ電源コード４が複数列巻けるように幅広く形成しており、リールケース７に一体に形成された軸部７ａに保持されている。また、リールケース７とリール６の間にゼンマイ８を介在させ、前記電源コード４が自動的に巻取られる方向に付勢するものである。電源コード４の引出し口９は、リールケース７と７ｂで形成され、リール６の回動中心部１０と対応して前記電源コードが前記リールの回転方向に沿って引き出される向きに形成されると共に後ろ側の引出し口部９ａが前側より徐々に狭くなるように、引出し口９の前後方向の一方（リール６，６ａの外周側）の縁に傾斜面９ｂを設けている。
【００１５】
さらに、ロック金具１１を把手３側のリールケース７ｂに配設しており、前記リール６ａのストッパー部６ｂに位置するようにロックレバーバネ１２によって常に一方向に付勢されている。ロック金具１１を押し下げる押圧部１３ａを一体に形成した巻取りボタン１３をリールケース７ｂの上部に配設し、巻取りボタンバネ１５によってロック金具１１から離れる方向に付勢している。
【００１６】
以上のように構成されたアイロン装置の作用、動作について、以下に説明する。
【００１７】
アイロン装置を使用しないときは、電源コード４はリール６、６ａに巻きつけられてコードリール装置５内にコンパクトに収容されており、プラグ１４のみが引出し口９から突出している。電源コード４を引出すときは、プラグ１４を持ち、矢印Ａ方向へ引っ張ることによりゼンマイ８の付勢力に抗してリール６、６ａは、矢印Ｂ方向に回転する。アイロンかけ終了後、電源コード４を収納するときは、巻取りボタン１３を押す。すると、ロックレバーバネ１２に抗して押し下げられた巻取りボタン１３の押圧部１３ａによりロック金具１１は矢印Ｃ方向に動いてストッパー６ｂから外れる。
【００１８】
そしてリール６、６ａは規制を解かれ、矢印Ｂと逆方向に回転し、電源コード４を巻き付けながら収容することができる。ここで、アイロン装置がコードリール装置を下にして立てた状態、いわゆるヒール状態になっていると、リール６，６ａはほぼ水平状態になっている。従って、ヒール状態で電源コード４が巻取られるとき、リール６、６ａの回動中心部１０と対応する引出し口部９ａ側をリールケース７側（アイロン装置が正立状態において後ろ側、ヒール状態において下側）が狭くなるように、引出し口９の前後方向の一方（リール６，６ａの外周側）の縁を傾斜させて傾斜面９ｂを設けているので、巻取られる電源コード４には、傾斜面９ｂに沿って引出し口９の広い方に移動する力が加わり、電源コード４は、傾斜面９ｂに沿って下側から上側に移動するため、同じ場所に重なり合うことがなくなり、ヒール状態で電源コードを巻取っても、電源コード４の巻取りを確実に行うことができるアイロン装置を提供することができる。
【産業上の利用可能性】
【００１９】
以上のように、本発明にかかるアイロン装置は、コードリール装置を下にしてアイロン装置を立てた状態、いわゆるヒール状態でも電源コードを確実に巻取ることができるもので、衣類等のしわ伸ばしを行うアイロン装置に限らず、電線巻取り装置を有する各種機器に広く適用できる。
【図面の簡単な説明】
【００２０】
【図１】本発明の実施の形態１におけるアイロン装置の要部断面図
【図２】同アイロン装置のコードリール装置の把手側リールケースを外した図
【図３】図１のＤ−Ｄ断面図
【図４】従来のアイロン装置の主要断面図
【符号の説明】
【００２１】
１  ヒータ
２  ベース
３  把手
４  電源コード
５  コードリール装置
６  リール
７  リールケース
８  ゼンマイ
９  引出し口
９ａ  引出し口部
９ｂ  傾斜面
１０  回動中心部
１１  ロック金具
１２  ロックレバーバネ
１３  巻取りボタン
１３ａ  押圧部
１４  プラグ
【図１】
0004670736.tif 000002
【図２】
0004670736.tif 000003
【図３】
0004670736.tif 000004
【図４】
0004670736.tif 000005